(57)【要約】【課題】本発明は、レンズ鏡筒本体と撮像素子保持部材とのフォーカス位置調整を行い易い位置に固定部材をレンズ鏡筒本体に仮位置決めしてその仮位置決めした状態に維持させ得るレンズ鏡筒及びレンズ鏡筒を有するカメラモジュール並びにカメラモジュールの製造方法の提供を目的とする。【解決手段】本発明のレンズ鏡筒２は、雄ネジ部３２を有するレンズ鏡筒本体３と、雄ネジ部３２に螺合する固定部材４とを備える。レンズ鏡筒本体３は、第１係合突部３５を備えている。固定部材４は、複数の第２係合突部４３を備えている。レンズ鏡筒本体３に螺合された固定部材４が右回転操作されることにより第１係合突部３５が第２係合突部４３を乗り越えて係合し、その係合状態から、左回転操作されることにより第１係合突部３５が第２係合突部４３を乗り越えて係合解除する。【選択図】図１
2014153461.tif 000002
【特許請求の範囲】
【請求項１】
撮像素子を保持した撮像素子保持部材が螺合される雄ネジ部を有する筒状のレンズ鏡筒本体と、
前記撮像素子保持部材の螺合に先立って前記雄ネジ部に螺合され、前記撮像素子保持部材を前記レンズ鏡筒本体に固定するためのリング状の固定部材とを備え、
前記レンズ鏡筒本体は、前記固定部材と対向した固定部材対向部を備え、
前記固定部材は、前記固定部材対向部と対向した本体対向部を備え、
前記固定部材対向部と本体対向部との何れか一方は、前記何れか他方側に突設された第１係合突部を備え、
前記固定部材対向部と本体対向部との何れか他方は、前記一方側に突出するようにして周方向に沿って配設され前記第１係合突部と係脱自在に係合して前記固定部材を前記レンズ鏡筒本体に対して仮位置決めする複数の第２係合突部とを備え、
前記第１係合突部と第２係合突部とは、前記固定部材が前記レンズ鏡筒本体に対して周方向の一方向側へ回転操作されるに際して、前記第１係合突部が何れかの前記第２係合突部と当接しその第２係合突部を乗り超えて前記第１係合突部と第２係合突部とが係合するとともに、前記固定部材が前記レンズ鏡筒本体に対して周方向の他方向側に回転操作されるに際して、前記第１係合突部がその乗り越えた第２係合突部と当接して、前記一方向側への回転操作の場合と反対側からその第２係合突部を乗り超えて前記第１係合突部と第２係合突部との係合が解除できるように構成されていることを特徴とするレンズ鏡筒。
【請求項２】
前記第２係合突部の個数は、その個数をＮとし、前記雄ネジ部のネジピッチをＰとしたとき、Ｐ／Ｎ≦０．１mmを満たすように設定されているとともに、前記設定された個数の第２係合突部が周方向に沿って略等間隔に配置されていることを特徴とする請求項１記載のレンズ鏡筒。
【請求項３】
前記第２係合突部は、それぞれ、頂点部と、前記頂点部を挟んだ周方向の両側に夫々、第１面及び第２面とを有する略三角山形状を呈するものであることを特徴とする請求項１又は２記載のレンズ鏡筒。
【請求項４】
前記固定部材は、前記周方向の一方向側へ回転操作されるに際して、前記本体対向部が固定部材対向部に対して接近する方向に移動するように構成され、
前記第１面は、緩斜面に形成され、
前記第２面は、前記固定部材の軸方向とのなす角度が前記第１傾斜面における前記角度よりも小さい急斜面に形成され、
これらの前記第１面と前記第２面とは、前記固定部材が前記一方向側へ回転操作されるに際して、前記第１係合突部が前記第２係合突部の第１面側から当接してその第２係合突部の頂点部を乗り超え、前記固定部材が前記レンズ鏡筒本体に対して周方向の他方向側に回転操作されるに際して、前記第１係合突部が前記第２係合突部の第２面側から当接してその第２係合突部の頂点部を前記反対側から乗り超えるように配置されていることを特徴とする請求項３記載のレンズ鏡筒。
【請求項５】
前記第１係合突部は、前記固定部材対向部に形成され、
前記第２係合突部は、前記本体対向部に形成されていることを特徴とする請求項１〜４の何れか一項に記載のレンズ鏡筒。
【請求項６】
前記レンズ鏡筒本体は、合成樹脂製であり、
前記第１係合突部は、前記レンズ鏡筒本体の成形に際して前記レンズ鏡筒本体と一体成形されていることを特徴とする請求項１〜５の何れか一項に記載のレンズ鏡筒。
【請求項７】
請求項１〜６の何れか一項に記載のレンズ鏡筒と、
前記レンズ鏡筒本体に保持された１又は複数のレンズと、
前記レンズ鏡筒本体の雄ネジ部に螺合され前記固定部材に固定された前記撮像素子保持部材と、
前記撮像素子保持部材に保持され、前記レンズによって結像される光学像を電気的な信号に変換する撮像素子とを備え、
前記撮像素子は、前記撮像素子の光学面が前記レンズの合焦位置に位置するように調整されて前記撮像素子保持部材に保持されていることを特徴とするカメラモジュール。
【請求項８】
雄ネジ部を有する筒状のレンズ鏡筒本体と、リング状の固定部材とを備え、前記レンズ鏡筒本体は、前記固定部材と対向した固定部材対向部を備え、前記固定部材は、前記固定部材対向部と対向した本体対向部を備え、前記固定部材対向部と本体対向部との何れか一方は、前記何れか他方側に突設された第１係合突部を備え、前記固定部材対向部と本体対向部との何れか他方は、前記一方側に突出するようにして周方向に沿って配設され前記第１係合突部と係脱自在に係合して前記固定部材を前記レンズ鏡筒本体に対して仮位置決めする複数の第２係合突部とを備えたレンズ鏡筒を用いて行うカメラモジュールの製造方法であって、
前記固定部材を前記雄ネジ部に螺合させ、
前記固定部材を、前記レンズ鏡筒本体に対して周方向の一方向側へ回転操作して、前記第１係合突部を何れかの前記第２係合突部と当接させてその第２係合突部を乗り超えさせるようにして前記第１係合突部と第２係合突部とを係合させることで、前記固定部材をレンズ鏡筒本体に対して仮位置決めした状態に仮固定し、
次に、前記レンズ鏡筒本体の前記雄ネジ部と前記撮像素子が保持された前記撮像素子保持部材とを螺合させて、前記レンズ鏡筒本体を前記撮像素子保持部材に対して回転操作することによって前記レンズ鏡筒本体に保持されたレンズと前記撮像素子の光学面とのフォーカス位置調整を行い、
次に、前記固定部材を前記レンズ鏡筒本体に対して周方向の他方向側に回転操作して、前記第１係合突部と第２係合突部との係合を解除させ、
その後、更に前記固定部材を前記他方向側に回転操作して前記位置調整を行った撮像素子保持部材の端部に締め付けて固定させることを特徴とするカメラモジュールの製造方法。
【発明の詳細な説明】
【技術分野】
【０００１】
本発明は、レンズ鏡筒及びカメラモジュール並びにカメラモジュールの製造方法に関するものである。
【背景技術】
【０００２】
従来から、撮像素子を保持した撮像素子保持部材とレンズを保持したレンズ鏡筒とをフォーカス位置調整を行った後にそれらの撮像素子保持部材とレンズ鏡筒とを固定するフォーカス調整装置が知られており、例えば特許文献１に開示されている。この特許文献１に開示された装置は、レンズ鏡筒本体の雄ねじ部に円筒部材の第１の雌ねじ部を螺合させ、円筒部材の第２の雌ねじ部を撮像素子保持部材の雄ねじ部に螺合させてレンズ鏡筒本体と撮像素子保持部材に取り付けられた固体撮像素子のフォーカス位置を調整し、その後、撮像素子保持部材の雄ねじ部に、円筒部材の撮像素子保持部材への螺合に先立って螺合しておいたリング状の固定部材を回転操作して円筒部材の端部に締付け、レンズ鏡筒本体がダブルナット方式により撮像素子保持部材に固定するようにしている。
【先行技術文献】
【特許文献】
【０００３】
【特許文献１】特開２００７−９３９１１号公報
【発明の概要】
【発明が解決しようとする課題】
【０００４】
しかしながら、円筒部材の撮像素子保持部材への螺合に先立って螺合しておいたリング状の固定部材が、レンズ鏡筒本体に近接した位置に配置されていると、レンズ鏡筒本体と撮像素子保持部材との位置調整に際して固定部材が邪魔になってしまって位置調整し難い場合がある。又、邪魔にならないように、固定部材を撮像素子保持部材の端部に締め付けて仮固定しておくと、位置調整した後に、固定部材を回転操作して撮像素子保持部材の端部から離そうとしても、固定部材が撮像素子保持部材の端部に食い付いて固定部材を撮像素子保持部材から離す作業が困難になる場合がある。また、その場合に、固定部材を、締め付けトルクを管理しながら撮像素子保持部材の端部に締め付けることも考えられるが、そのような作業は煩雑である。又、固定部材を、レンズ鏡筒本体と撮像素子保持部材との位置調整に際して邪魔にならず、且つ、撮像素子保持部材の端部に当たらない位置にセットしておいたとしても、その後の工程や輸送中の振動等で固定部材が移動して、上記邪魔になる位置、或いは、撮像素子保持部材の端部に締め付けられてしまうおそれがある。
【０００５】
本発明は、レンズ鏡筒本体と撮像素子保持部材とのフォーカス位置調整を行い易い位置に固定部材をレンズ鏡筒本体に仮位置決めした状態に維持させ得、カメラモジュールを容易に製造できるレンズ鏡筒及びレンズ鏡筒を有するカメラモジュール並びにカメラモジュールの製造方法の提供を目的とする。
【課題を解決するための手段】
【０００６】
上記課題を解決するため、本発明は、撮像素子を保持した撮像素子保持部材が螺合される雄ネジ部を有する筒状のレンズ鏡筒本体と、前記撮像素子保持部材の螺合に先立って前記雄ネジ部に螺合され、前記撮像素子保持部材を前記レンズ鏡筒本体に固定するためのリング状の固定部材とを備え、前記レンズ鏡筒本体は、前記固定部材と対向した固定部材対向部を備え、前記固定部材は、前記固定部材対向部と対向した本体対向部を備え、前記固定部材対向部と本体対向部との何れか一方は、前記何れか他方側に突設された第１係合突部を備え、前記固定部材対向部と本体対向部との何れか他方は、前記一方側に突出するようにして周方向に沿って配設され前記第１係合突部と係脱自在に係合して前記固定部材を前記レンズ鏡筒本体に対して仮位置決めする複数の第２係合突部とを備え、前記第１係合突部と第２係合突部とは、前記固定部材が前記レンズ鏡筒本体に対して周方向の一方向側へ回転操作されるに際して、前記第１係合突部が何れかの前記第２係合突部と当接しその第２係合突部を乗り超えて前記第１係合突部と第２係合突部とが係合するとともに、前記固定部材が前記レンズ鏡筒本体に対して周方向の他方向側に回転操作されるに際して、前記第１係合突部がその乗り越えた第２係合突部と当接して、前記一方向側への回転操作の場合と反対側からその第２係合突部を乗り超えて前記第１係合突部と第２係合突部との係合が解除できるように構成されていることを特徴とする。
【０００７】
この構成によれば、固定部材がレンズ鏡筒本体に対して周方向の一方向側へ回転操作されるに際して、第１係合突部が何れかの第２係合突部と当接してその第２係合突部を乗り超えて第１係合突部が第２係合突部と係合する。これにより、固定部材をレンズ鏡筒本体に仮固定しておくことができ、輸送中に振動等を受けても固定部材はその位置を維持できる。
【０００８】
又、この状態では、固定部材がレンズ鏡筒本体に近接可能にできるため、レンズ鏡筒本体と撮像素子保持部材とのフォーカス位置調整に際して固定部材が邪魔になるようなことがない。
【０００９】
一方、フォーカス位置調整後に、固定部材で撮像素子保持部材を固定する場合は、固定部材をレンズ鏡筒本体に対して周方向の他方向側へ回転操作すればよい。これにより、係合した第１係合突部が第２係合突部と当接して、上記の固定部材の一方向側への回転操作の場合と反対側からその第２係合突部を乗り超えて第１係合突部と第２係合突部との係合が解除でき、撮像素子保持部材の端部に締め付けて固定させることができる。
【００１０】
又、他の一態様では、前記第２係合突部の個数は、その個数をＮとし、前記雄ネジ部のネジピッチをＰとしたとき、Ｐ／Ｎ≦０．１mmを満たすように設定されているとともに、前記設定された個数の第２係合突部が周方向に沿って略等間隔に配置されていることを特徴とする。
【００１１】
この構成によれば、第２係合突部の個数は、例えば雄ネジ部のネジピッチが０．６ｍｍの場合、少なくとも６個になり、固定部材がレンズ鏡筒本体に対して少なくとも１／６回転すれば第１係合突部が第２係合突部と当接して第２係合突部を乗り超える。又、その固定部材の１／６回転に際して、第１係合突部と第２係合突部とが０．１ｍｍ、接近するため、０．１ｍｍだけ、第１係合突部と第２係合突部との一方又は両方が、弾性変形、又は弾性変形と塑性変形とをすれば第１係合突部が第２係合突部を乗り超えることができる。
【００１２】
従って、Ｐ／Ｎ≦０．１ｍｍを満たすような個数にしておけば、第１係合突部と第２係合突部との一方又は両方が、０．１ｍｍ以下の弾性変形等することによって、第１係合突部を第２係合突部を乗り超えさせることができ、容易に係合できる。
【００１３】
又、他の一態様では、前記第２係合突部は、それぞれ、頂点部と、前記頂点部を挟んだ周方向の両側に夫々、第１面及び第２面とを有する略三角山形状を呈するものであることを特徴とする。
【００１４】
この構成によれば、第１係合突部が第２係合突部-を、より一層、乗り越え易いものにできる。
【００１５】
又、他の一態様では、前記固定部材は、前記周方向の一方向側へ回転操作されるに際して、前記本体対向部が固定部材対向部に対して接近する方向に移動するように構成され、前記第１面は、緩斜面に形成され、前記第２面は、前記固定部材の軸方向とのなす角度が前記第１傾斜面における前記角度よりも小さい急斜面に形成され、これらの前記第１面と前記第２面とは、前記固定部材が前記一方向側へ回転操作されるに際して、前記第１係合突部が前記第２係合突部の第１面側から当接してその第２係合突部の頂点部を乗り超え、前記固定部材が前記レンズ鏡筒本体に対して周方向の他方向側に回転操作されるに際して、前記第１係合突部が前記第２係合突部の第２面側から当接してその第２係合突部の頂点部を前記反対側から乗り超えるように配置されていることを特徴とする。
【００１６】
この構成によれば、固定部材が周方向の一方向側へ回転操作されると、第１係合突部と第２係合突部とが接近しながら固定部材が回転し、固定部材が周方向の他方向側へ回転操作されると、第１係合突部と第２係合突部とが離れながら固定部材が回転する。従って、固定部材が周方向の一方向側へ回転操作される際には、他方向側へ回転操作される場合に較べて第１係合突部と第２係合突部とに大きな力がかかるが、第１係合突部が第２係合突部の緩斜面からなる第１傾斜面を摺動して第１傾斜面によって徐々に頂点部に案内され、第１係合突部が第２係合突部の頂点部を容易に乗り越える。一方、固定部材が他方向側へ回転操作される場合には、第１係合突部が第２係合突部の急斜面からなる第２傾斜面を摺動して容易に頂点部を乗り越え、第１係合突部と第２係合突部との係合及び係合操作を容易にできる。
【００１７】
又、他の一態様では、前記第１係合突部は、前記固定部材対向部に形成され、前記第２係合突部は、前記本体対向部に形成されていることを特徴とする。
【００１８】
この構成によれば、型を用いて雄ネジ部を有するレンズ鏡筒本体を成形する場合は、径方向に割った割り型を用いてレンズ鏡筒本体の径方向に離型するようにして雄ネジ部を一緒に成形できる。また、その割り型を用いて第１係合突部を一緒に成形できる。従って、このレンズ鏡筒本体の成形に際して第１係合突部を一緒に成形でき、製作容易なものにできる。
【００１９】
又、他の一態様では、前記レンズ鏡筒本体は、合成樹脂製であり、前記第１係合突部は、前記レンズ鏡筒本体の成形に際して前記レンズ鏡筒本体と一体成形されていることを特徴とする。
【００２０】
この構成によれば、このレンズ鏡筒本体を合成樹脂によって成形するに際して第１係合突部を一緒に成形でき、製作容易なものにできる。
【００２１】
又、本発明のカメラモジュールは、上述の何れかのレンズ鏡筒と、前記レンズ鏡筒本体に保持された１又は複数のレンズと、前記レンズ鏡筒本体の雄ネジ部に螺合され前記固定部材に固定された前記撮像素子保持部材と、前記撮像素子保持部材に保持され、前記レンズによって結像される光学像を電気的な信号に変換する撮像素子とを備え、前記撮像素子は、前記撮像素子の光学面が前記レンズの合焦位置に位置するように調整されて前記撮像素子保持部材に保持されていることを特徴とする。
【００２２】
この構成によれば、固定部材をレンズ鏡筒本体に仮固定しておくことができ、輸送中に振動等を受けても固定部材はその位置を維持でき、そして、レンズ鏡筒本体と撮像素子保持部材とのフォーカス位置調整に際して固定部材が邪魔にならないものにでき、レンズ鏡筒本体に対して撮像素子保持部材を回転操作して容易にフォーカス位置調整を行うことができる。
【００２３】
一方、フォーカス位置調整後に、固定部材で撮像素子保持部材を固定する場合は、固定部材をレンズ鏡筒本体に対して周方向の他方向側へ回転操作することにより、第１係合突部と第２係合突部との係合を解除でき、撮像素子保持部材の端部に締め付けて固定させることができる。
【００２４】
又、本発明のカメラモジュールの製造方法は、雄ネジ部を有する筒状のレンズ鏡筒本体と、リング状の固定部材とを備え、前記レンズ鏡筒本体は、前記固定部材と対向した固定部材対向部を備え、前記固定部材は、前記固定部材対向部と対向した本体対向部を備え、前記固定部材対向部と本体対向部との何れか一方は、前記何れか他方側に突設された第１係合突部を備え、前記固定部材対向部と本体対向部との何れか他方は、前記一方側に突出するようにして周方向に沿って配設され前記第１係合突部と係脱自在に係合して前記固定部材を前記レンズ鏡筒本体に対して仮位置決めする複数の第２係合突部とを備えたレンズ鏡筒を用いて行うカメラモジュールの製造方法であって、前記固定部材を前記雄ネジ部に螺合させ、前記固定部材を、前記レンズ鏡筒本体に対して周方向の一方向側へ回転操作して、前記第１係合突部を何れかの前記第２係合突部と当接させてその第２係合突部を乗り超えさせるようにして前記第１係合突部と第２係合突部とを係合させることで、前記固定部材をレンズ鏡筒本体に対して仮位置決めした状態に仮固定し、次に、前記レンズ鏡筒本体の前記雄ネジ部と前記撮像素子が保持された前記撮像素子保持部材とを螺合させて、前記レンズ鏡筒本体を前記撮像素子保持部材に対して回転操作することによって前記レンズ鏡筒本体に保持されたレンズと前記撮像素子の光学面とのフォーカス位置調整を行い、次に、前記固定部材を前記レンズ鏡筒本体に対して周方向の他方向側に回転操作して、前記第１係合突部と第２係合突部との係合を解除させ、その後、更に前記固定部材を前記他方向側に回転操作して前記位置調整を行った撮像素子保持部材の端部に締め付けて固定させることを特徴とする。
【００２５】
この構成によれば、固定部材をレンズ鏡筒本体に仮固定しておくことができ、レンズ鏡筒本体と撮像素子保持部材とのフォーカス位置調整に際して固定部材が邪魔になることなく、フォーカス位置調整できる。
【００２６】
一方、フォーカス位置調整後は、固定部材をレンズ鏡筒本体に対して周方向の他方向側へ回転操作することにより、第１係合突部と第２係合突部との係合を解除でき、撮像素子保持部材の端部に締め付けて固定させることができる。従って、カメラモジュールの組み付けを容易に行え、容易に製造できる。
【発明の効果】
【００２７】
本発明は、レンズ鏡筒本体と撮像素子保持部材とのフォーカス位置調整を行い易い位置に固定部材をレンズ鏡筒本体に仮位置決めした状態に維持させ得、カメラモジュールを容易に製造できるレンズ鏡筒及びレンズ鏡筒を有するカメラモジュール並びにカメラモジュールの製造方法の提供を目的とする。
【図面の簡単な説明】
【００２８】
【図１】本発明のレンズ鏡筒を有するカメラモジュールの一実施形態の分解斜視図である。
【図２】図１のカメラモジュールの拡大断面図である。
【図３】カメラモジュールに用いられるレンズ鏡筒本体の側面図である。
【図４】図３のレンズ鏡筒本体の背面図である。
【図５】カメラモジュールに用いられる固定部材の側面図である。
【図６】レンズ鏡筒本体に固定部材を仮固定した状態の断面図である。
【図７】レンズ鏡筒本体に固定部材を仮固定する際の説明図に係り、（ａ）は、第１係合突部と第２係合突部とが当接した状態の要部拡大説明図、（ｂ）は、第１係合突部が第２係合突部を乗り越えた状態の要部拡大説明図である。
【図８】固定部材が仮固定したレンズ鏡筒本体に、撮像素子が保持された撮像素子保持部材を螺合して状態の保持した状態の断面図である。
【図９】（ａ）は、第２係合突部の他の実施形態の要部拡大側面図、（ｂ）は、第２係合突部の更に他の実施形態の要部拡大側面図である。
【図１０】（ａ）は、第２係合突部の他のもう一つの実施形態の要部拡大側面図、（ｂ）は、更に他のもう一つの実施形態の要部拡大側面図である。
【発明を実施するための形態】
【００２９】
以下、本発明を実施するための形態について、図面を参照しながら詳細に説明する。図１は、本発明のレンズ鏡筒を有するカメラモジュールの一実施形態の分解斜視図、図２は、図１のカメラモジュールの断面図である。尚、図のＸ方向を前方側とし、Ｙ方向を後方側として説明する。
【００３０】
本発明のカメラモジュール１は、レンズ鏡筒２と、撮像素子保持部材５と、撮像素子保持部材５に保持された撮像素子６とを備えている。
【００３１】
レンズ鏡筒２は、レンズ鏡筒本体３と、レンズ鏡筒本体３に係脱可能に係合された固定部材４とを備えている。
【００３２】
レンズ鏡筒本体３は、合成樹脂製の円筒体から構成されている。この実施形態では、レンズ鏡筒本体３は、ポリカーボネートから構成されている。尚、レンズ鏡筒本体３は、ポリカーボネートから構成される形態のものに限らず、例えばポリフェニレンサルファイド（ＰＰＳ）から形成することもでき、レンズ鏡筒本体３の材質は特に限定されない。
【００３３】
また、レンズ鏡筒本体３は、その内周部に、１つ又は複数のレンズ３１ａ〜３１ｄを保持している。この実施形態では、レンズ鏡筒本体３は、４つのレンズ３１ａ〜３１ｄを保持している。
【００３４】
又、レンズ鏡筒本体３は、その外周部に、後端からやや前部側まで形成された雄ネジ部３２と、雄ネジ部３２の前方側に所定の厚さで形成された鍔部３３と、鍔部３３に形成された２つの第１係合突部３５を備えている。
【００３５】
この雄ネジ部３２は、この実施形態では、ネジピッチが０．５ｍｍの右ネジに形成されている。
【００３６】
鍔部３３は、後面全体が、固定部材４と対向する固定部材対向部３４をなしている。固定部材対向部３４は、雄ネジ部３２の前端部から径方向の外側に全周にわたって突出されるようにして平面状に形成されている。
【００３７】
又、鍔部３３は、外周に、６つの切り欠き凹部３３ａを備えている。これらの切り欠き凹部３３ａは、後述のフォーカス調整に際して、図示しない回転装置に回転不能に係合させるためのものである。
【００３８】
各切り欠き凹部３３ａは、外周から所定の幅及び深さで鍔部３３の一部をカットして凹ませるようにして形成されている。そして、６つの切り欠き凹部３３ａは、鍔部３３の外周の周方向に略等間隔に配設されている。
【００３９】
第１係合突部３５は、夫々、固定部材対向部３４に、雄ネジ部３２側に略半球状に突設されている。そして、２つの第１係合突部３５は、図４に示すように互いに周方向に１８０°隔てるようにして、周方向に略等間隔に配置されている。この実施形態では、第１係合突部３５は、突出高さｔ１が０．４ｍｍ程度に形成されている。
【００４０】
尚、この第１係合突部３５の個数は、２つのものに限らず、１つ以上であればよく、適宜変更できる。
【００４１】
固定部材４は、合成樹脂製のリング状のものから構成されている。又、この実施形態では、レンズ鏡筒本体３と同様に、ポリカーボネートから構成されている。尚、この固定部材４の材質についても、ポリカーボネートから構成される形態のものに限らず、例えばポリフェニレンサルファイド（ＰＰＳ）から形成することもでき、固定部材４の材質は特に限定されない。
【００４２】
この固定部材４は、前端全体が、レンズ鏡筒本体３の固定部材対向部３４と対向する本体対向部４２をなしている。
【００４３】
本体対向部４２は、第１係合突部３５と係脱可能に係合する複数の第２係合突部４３を備えている。これらの複数の第２係合突部は、前方側である固定部材対向部３４側に突設されている。
【００４４】
又、この実施形態の各第２係合突部４３は、図５、図７に示すように頂点部４３ａと、第１面４３ｂ及び第２面４３ｃとを有する略三角山形状を呈するものから構成されている。
【００４５】
第１面４３ｂは、周方向の右側（一方側）に、固定部材４の軸方向に所定の角度をなすように形成された傾斜面からなっている。一方、第２面４３ｃは、頂点部４３ａを挟んだ周方向の左側（他方側）に、固定部材４の軸方向に沿って形成されている。
【００４６】
このように形成された１６個の本体対向部４２は、固定部材対向部３４の周方向に沿って等間隔になるように形成されている。
【００４７】
この固定部材４は、図５に示すように、外周に、回転操作部４７を備えている。また、回転操作部４７は、軸方向に延された断面山形の複数の突条４４を備えている。これらの突条４４は、周方向に沿って等間隔に配置され、これにより、回転操作部４７が回転操作に際して周方向に滑り難いようにされている。
【００４８】
又、固定部材４は、内周における前部に、レンズ鏡筒本体３の雄ネジ部３２に螺合される固定部材用雌ネジ部４１を備えている。そして、この実施形態では、螺合された固定部材４がレンズ鏡筒本体３に対して周方向の右方向（一方向）に回転操作されると、レンズ鏡筒本体３に対して前進して、本体対向部４２がレンズ鏡筒本体３の固定部材対向部３４に接近する。
【００４９】
一方、固定部材４がレンズ鏡筒本体３に対して周方向の左方向（他方向）に回転操作されると、レンズ鏡筒本体３に対して退後して、本体対向部４２がレンズ鏡筒本体３の固定部材対向部３４と序々に離れていく。
【００５０】
又、固定部材４は、内周における固定部材用雌ネジ部４１の後方側に、撮像素子保持部材５と当接して撮像素子保持部材５を締め付ける締付部４６を備えている。この実施形態では、固定部材４の後端から前方側に、所定の径で全周にわたって凹部４５が形成され、その凹部４５の奥端面が締付部４６をなしている。
【００５１】
撮像素子保持部材５は、前部側に、レンズ鏡筒本体３に連結される連結枠部５１を備え、後部側に、撮像素子６を保持した撮像素子保持枠部５２を備え、更に、連結枠部５１と撮像素子保持枠部５２との間に、ＩＲＣＦ７を保持したＩＲＣＦ保持枠部５３を備えている。
【００５２】
連結枠部５１は、内周に、レンズ鏡筒本体３の雄ネジ部３２に螺合される連結枠用雌ネジ部５１ａを備え、この連結枠用雌ネジ部５１ａがその雄ネジ部３２に螺合されることにより、撮像素子保持部材５がレンズ鏡筒本体３に連結されている。
【００５３】
そして、この撮像素子保持部材５にレンズ鏡筒本体３が螺合されて、その螺合されたレンズ鏡筒本体３が撮像素子保持部材５に対して右回転操作されると、撮像素子保持部材５に対して前進し、撮像素子保持部材５に対して左回転操作されると、撮像素子保持部材５に対して後退する。
【００５４】
又、連結枠部５１は、その前端が、固定部材４の締付部４６と当接する当接部５１ｂをなしている。
【００５５】
撮像素子保持枠部５２は、その後端面全体が、撮像素子６を保持した撮像素子取付部５２ａをなしている。
【００５６】
撮像素子６は、レンズ３１ａ〜３１ｄによって結像される光学像を電気的な信号に変換する。撮像素子６は、前面側に光学面６１を備えている。又、この撮像素子６は、板状の支持基板６２の前面の中心部に、光学面６１が前面側になるようにして、支持されている。
【００５７】
そして、撮像素子６を支持した支持基板６２が、前面の外周縁部の全周にわたって、撮像素子取付部５２ａに接着剤によって固定的に取り付けられている。これにより、撮像素子６は、支持基板６２を介して撮像素子保持枠部５２に保持されている。
【００５８】
尚、この支持基板６２における撮像素子６の後方側に、コネクター６３が取り付けられ、コネクター６３によって、撮像素子６とこのカメラモジュール１が装着されるカメラ本体等の被装着部材とが電気的に接続される。
【００５９】
次に、このカメラモジュール１の製造方法について説明する。
【００６０】
まず、図６に示すように、複数のレンズ３１ａ〜３１ｄを保持したレンズ鏡筒本体３に、撮像素子保持部材５に先立って、固定部材４を連結する。
【００６１】
詳しくは、レンズ鏡筒本体３の雄ネジ部３２に、本体対向部４２を固定部材対向部３４と対向させるようにして固定部材４の固定部材用雌ネジ部４１を螺合させる。
【００６２】
そして、固定部材４を右回転させる。これにより、本体対向部４２が固定部材対向部３４と接近して、図７（ａ）に示すように第１係合突部３５に、第２係合突部４３の第１面４３ｂが当接する。
【００６３】
この状態から更に、固定部材４を右回転させると、第１係合突部３５と第２係合突部４３との一方又は両方が、弾性変形し、或いは、弾性変形と共に塑性変形しながら、第１係合突部３５が第２係合突部４３の第１面４３ｂを相対的に摺動して、図７（ｂ）に示すように第１係合突部３５が第２係合突部４３の頂点部４３ａを乗り越える。
【００６４】
その摺動に際して、固定部材４の右回転に伴う前進によって第２係合突部４３が第１係合突部３５側に移動して徐々に大きな力をかけることが必要になるが、第１面４３ｂが傾斜面に形成されているため、第１面４３ｂが第１係合突部３５を頂点部４３ａに案内でき、乗り越え易いものにできる。
【００６５】
乗り越えた後は、変形した第１係合突部３５と第２係合突部４３との一方又は両方が復元してその乗り越えた第２係合突部４３の頂点部４３ａと第１係合突部３５とが係合する。従って、この状態で、係合した第１係合突部３５と第２係合突部４３とに、第１係合突部３５が頂点部４３ａを乗り越えるような力がかからない限り、固定部材４は、レンズ鏡筒本体３に対して左回転できない状態になる。
【００６６】
又、この状態から、固定部材４が右回転すると、第１係合突部３５は、先に乗り越えた第２係合突部４３と隣接する左側の第２係合突部４３（２番目の第２係合突部４３）の第１面４３ｂが当接して係合する。従って、この状態では、係合した第１係合突部３５と２番目の第２係合突部４３とに、第１係合突部３５が２番目の第２係合突部４３の頂点部４３ａを乗り越えるような力がかからない限り、固定部材４は、レンズ鏡筒本体３に対して右回転できない。
【００６７】
従って、この状態で、固定部材４は、レンズ鏡筒本体３に対して仮位置決めされた仮固定状態になる。よって、この仮固定状態で、例えばこのレンズ鏡筒本体３への固定部材４の螺合工程とフォーカス位置調整工程とが異なる場所で行われる場合において、その螺合工程で固定部材４が螺合されたレンズ鏡筒本体３が、フォーカス位置調整工程が行われる場所に搬送されるような場合でも、固定部材４をレンズ鏡筒本体３に対して動くことのないものにできる。
【００６８】
又、この仮固定状態で、本体対向部４２と固定部材対向部３４との間に隙間４８が形成されている状態にでき、搬送中に固定部材４が固定部材対向部３４に当接して締め付けられた状態になるようなことを防止できる。
【００６９】
次に、図８に示すように撮像素子６及びＩＲＣＦ７を保持した撮像素子保持部材５の連結枠用雌ネジ部５１ａに、固定部材４が仮位置決めされた状態のレンズ鏡筒本体３の雄ネジ部３２を螺合させる。
【００７０】
そして、その状態から、撮像素子６の光学面６１とレンズ鏡筒本体３に保持されたレンズ３１ａ〜３１ｄとのフォーカス調整（光学面６１をレンズ３１ａ〜３１ｄの合焦位置に調整）を行う。
【００７１】
このフォーカス調整は、レンズ鏡筒本体３の切り欠き凹部３３ａに、図示しない回転装置を係合させ、その回転装置を作動させることによりレンズ鏡筒本体３を、右又は左に回転操作させ、撮像素子６を保持した撮像素子保持部材５に対して前後方向に進退させ、その進退によって、レンズ鏡筒本体３に保持したレンズ３１ａ〜３１ｄを撮像素子６の光学面６１に対して前後方向へ移動させることにより行う。
【００７２】
その際、固定部材４がレンズ鏡筒本体３側寄りの位置に配置されて固定部材４と撮像素子保持部材５とが十分に距離を隔てているため、フォーカス調整を行う際のレンズ鏡筒本体３の回転操作に際して固定部材４が邪魔になるようなことがない。
【００７３】
次に、そのフォーカス調整を行った状態で、レンズ鏡筒本体３に仮固定した固定部材４をレンズ鏡筒本体３に対して左回転操作する。これにより、第１係合突部３５が乗り越えた第２係合突部４３の頂点部４３ａに第２面４３ｃ側から当接して、第１係合突部３５と第２係合突部４３ｂとの一方又は両方が、弾性変形等しながら、第１係合突部３５が第２係合突部４３の頂点部４３ａを第２面４３ｃ側から乗り越え、第１係合突部３５と第２係合突部４３との係合を解除できる。
【００７４】
この場合は、固定部材４の左回転に伴う後退によって第２係合突部４３と第１係合突部３５とが互いに離れる方向に移動するため、固定部材４の右回転操作により第１面４３ｂ側から乗り越えさせて係合させる場合に較べて小さい力で容易に乗り越えさせることができる。したがって、第２面４３ｃは、第１面４３ｂのような緩斜面に形成されない場合でも、比較的容易に乗り越えさせて係合解除できる。
【００７５】
そして、更に、固定部材４を左回転操作する。これにより、固定部材４がレンズ鏡筒本体３に対して更に後退して撮像素子保持部材５に接近していき、更なる固定部材４の左回転操作によって、図２に示すように固定部材４の締付部４６が撮像素子保持部材５の当接部５１ｂに当接する。
【００７６】
更に、この状態で、固定部材４を、左回転操作して固定部材４の締付部４６を撮像素子保持部材５の当接部５１ｂに設定トルクで締め付ける。これにより、固定部材４の締付部４６を撮像素子保持部材５の当接部５１ｂにダブルナット方式で固定できる。
【００７７】
尚、上記実施形態では、第１係合突部３５が１つの第２係合突部４３のみ乗り越えた状態で、固定部材４をレンズ鏡筒本体３に仮固定したが、この形態のものに限らず、適宜変更できる。
【００７８】
第１係合突部３５が２番目の第２係合突部４３の第１面４３ｂと当接した図７（ｂ）状態から、上述の最初に乗り越えさせた場合と同様に、第１係合突部３５と２番目の第２係合突部４３との一方又は両方を弾性変形等させるようなトルクをかけて、更に固定部材４を右回転させる。これにより、第１係合突部３５がその第２係合突部４３の第１面４３ｂを相対的に摺動して第２係合突部４３の頂点部４３ａが第１係合突部３５を乗り越えることができ、その状態で仮固定した状態としてもよい。
【００７９】
ただし、この場合は、その２番目に乗り越えられる第２係合突部４３は、固定部材４の右回転による前進に伴い、最初に乗り越えた第２係合突部４３に較べてその前進した分だけ第２係合突部４３が第１係合突部３５側に移動する。そのため、第１係合突部３５がその２番目の第２係合突部４３の頂点部４３ａを乗り越える際に要するトルクは、最初に乗り越えさせた場合に較べて大きくなる。
【００８０】
同様に、最初に乗り越えたものからｎ番目の第２係合突部４３を乗り越えた状態で、固定部材４をレンズ鏡筒本体３に仮固定してもよい。
【００８１】
又、上記実施形態では、第２係合突部４３は、１６個からなるが、第２係合突部４３の個数は、二つ以上であればよく、特に限定されないが、第２係合突部４３の個数をＮとし、雄ネジ部３２のネジピッチをＰとしたとき、Ｐ／Ｎ≦０．１ｍｍを満たす個数に設定するとともに、周方向に等間隔に配置するのが好ましい。
【００８２】
このように設定された個数であれば、第１係合突部と第２係合突部との一方又は両方が、０．１ｍｍ以下の弾性変形のみ、或いは弾性変形と塑性変形とをすることによって、第１係合突部が第２係合突部を乗り超えさせることができ、容易に乗り超えさせることができる点で好ましい。
【００８３】
又、上記実施形態では、第１係合突部３５はレンズ鏡筒本体３に、第２係合突部４３は、固定部材４に、それぞれ、形成されたが、この形態のものに限らず、第１係合突部３５は固定部材に、第２係合突部４３はレンズ鏡筒本体３に、それぞれ、形成されたものでもよく、適宜変更できる。
【００８４】
又、上記実施形態では、第２係合突部４３は、頂点部４３ａと、第１面４３ｂ及び第２面４３ｃとを有する略三角山形状を呈するものから構成されているが、第２係合突部４３の形状は、特に限定されない。
【００８５】
例えば、図９（ａ）に示すように第２係合突部１４３は、頂点部１４３ａと、頂点部１４３ａを挟んだ両側に、それぞれ、第１面１４３ｂ及び第２面１４３ｃとを有する三角山形状を呈するものであって、第１面１４３ｂと第２面１４３ｃとは、軸方向に対して同じ角度α１をもった傾斜面に形成されたものでもよい。
【００８６】
又、図９（ｂ）に示すように第２係合突部２４３は、頂点部２４３ａと、頂点部２４３ａを挟んだ両側に、それぞれ、第１面２４３ｂ及び第２面２４３ｃとを有する略三角山形状を呈するものであって、係合に際して第１係合突部が先に当接する側の第１面２４３ｂを緩斜面とし、係合に際して第１係合突部が頂点部２４３ａを乗り越えた後に当接する第２面２４３ｃを、軸方向に対する角度α３がその第１面２４３ｂのその角度α２よりも小さい急斜面にしてもよい。
【００８７】
より具体的には、上記実施形態のように、第２係合突部２４３は固定部材４に形成された場合に、頂点部２４３ａの周方向の右側の第１面２４３ｂを緩斜面とし、頂点部２４３ａの周方向の左側の第２面２４３ｃを、軸方向に対する角度α３を第１面２４３ｂのその角度α２よりも小さい急斜面にする。尚、第２係合突部２４３はレンズ鏡筒本体３に形成される場合は、頂点部２４３ａの周方向の左側の第２面２４３ｃを緩斜面とし、頂点部２４３ａの周方向の右側の第１面２４３ｂを急斜面にする。
【００８８】
さらには、図１０（ａ）に示すように第２係合突部３４３は、側面視で、矩形状を呈するものでもよい。又、図１０（ｂ）に示すように、第２係合突部４４３は、略半球状のものから構成されたものでもよい。
【符号の説明】
【００８９】
１    カメラモジュール
２    レンズ鏡筒
３    レンズ鏡筒本体
４    固定部材
５    撮像素子保持部材
６    撮像素子
３２    雄ネジ部
３４    固定部材対向部
３５    第１係合突部
４１    固定部材用雌ネジ部
４２    本体対向部
４３、１４３、２４３、３４３、４４３    第２係合突部
【図１】
2014153461.tif 000003
【図２】
2014153461.tif 000004
【図３】
2014153461.tif 000005
【図４】
2014153461.tif 000006
【図５】
2014153461.tif 000007
【図６】
2014153461.tif 000008
【図７】
2014153461.tif 000009
【図８】
2014153461.tif 000010
【図９】
2014153461.tif 000011
【図１０】
2014153461.tif 000012